(57)【要約】【課題】  採点を伴うカラオケの歌唱において、得点のモチベーションをあげるカラオケシステムを提供する。【解決手段】  歌唱して獲得した得点の累積が、一定の閾値に達した時、ポイントや景品の褒賞があったり、歌唱ステージが上がるなど得点によるプレミアムを加える。【選択図】図１
2017015819.tif 000002
【特許請求の範囲】
【請求項１】
カラオケ装置が同一ネットワーク上に接続され、
利用者を会員管理し、特定の１または複数の楽曲を対象に、歌唱回数をサーバで保存集計できるカラオケシステムにおいて、
歌唱回数に応じて、一定の褒賞があることを特徴とするネットワークカラオケシステム。
【請求項２】
採点機能を持つカラオケ装置が同一ネットワーク上に接続され、
特定の１または複数の楽曲を対象に、採点結果をサーバで保存集計できるカラオケシステムにおいて、
歌唱の採点結果の得点に応じて、一定の褒賞があることを特徴とするネットワークカラオケシステム。
【請求項３】
採点機能を持つカラオケ装置が同一ネットワーク上に接続され、
利用者を会員管理し、特定の１または複数の楽曲を対象に、採点結果をサーバで保存集計できるカラオケシステムにおいて、
歌唱の採点結果の得点の累積に応じて、一定の褒賞があることを特徴とするネットワークカラオケシステム。
【請求項４】
採点機能を持つカラオケ装置が同一ネットワーク上に接続され、
利用者を会員管理し、特定の１または複数の楽曲を対象に、採点結果をサーバで保存集計できるカラオケシステムにおいて、
歌唱を採点された得点に歌唱時間を乗じた値の累積に応じて、一定の褒賞があることを特徴とするネットワークカラオケシステム。
【請求項５】
カラオケ装置が同一ネットワーク上に接続され、
利用者を会員管理し、特定の１または複数の楽曲を対象に、歌唱回数をサーバで保存集計できるネットワークカラオケシステムにおいて、
複数の利用者による歌唱であって全員の歌唱回数の合計に応じて一定の褒賞があることを特徴とするネットワークカラオケシステム。
【請求項６】
前記請求項１乃至４記載のネットワークカラオケシステムにおいて、
利用者を会員管理する機能を持ち、
複数の利用者による歌唱であって獲得得点による順位に応じて一定の褒賞があることを特徴とするネットワークカラオケシステム。
【請求項７】
前記請求項２記載のネットワークカラオケシステムにおいて、
利用者を会員管理する機能を持ち、
複数の利用者による歌唱であって獲得得点による順位に応じて一定の褒賞があり、
同一歌唱者の複数回歌唱がある場合の順位決定に当たり、
（１）すべてのデータを順位の対象とする
（２）同一歌唱者が複数回歌唱している場合は、最高点、平均点など何らかの順に基づき、一歌唱者につき一データを対象とする
とすることを特徴とする前記請求項２記載のネットワークカラオケシステム。
【請求項８】
前記請求項６記載のネットワークカラオケシステムにおいて、複数の楽曲について歌唱者複数人の複数回の歌唱があり、順位を特定する対象楽曲（群）が複数あった場合に、当該複数の対象楽曲群の総合順位に応じて一定の褒賞があることを特徴とするネットワークカラオケシステムであって、当該総合順位特定の際に、第一位から順に上位から該当データを特定し、次順位特定に当たり、現順位特定時に対象としたデータから、現順位に該当するデータを除いた上で残るデータを元に、
（１） すべてのデータを対象として
（２） 現順位の該当データと同一歌唱者かつ同一楽曲（群）のデータを排除したデータを対象として
（３） 現順位の該当データと同一の楽曲（群）のデータを排除したデータを対象として
（４） 現順位の該当データと同一歌唱者のデータを排除したデータを対象として
（５） 現順位の該当データと同一歌唱者または現順位に含まれる同一楽曲（群）のデータを排除したデータを対象として
のいずれかにより次順位を特定することを特徴とする前記請求項６記載のネットワークカラオケシステム。
【発明の詳細な説明】
【技術分野】
【０００１】
本発明は、カラオケの歌唱結果に応じて褒賞を与える技術に関するものである。
【背景技術】
【０００２】
カラオケ装置における付加機能として、歌唱者の歌唱状況を採点してその採点結果として得点などをディスプレイに表示する歌唱採点機能がある。この歌唱採点機能は、楽曲歌唱終了時に１曲ごとに表示され、その点数を仲間同士で競ったり、練習することで上達して得点を上げていくという楽しみがあった。
【０００３】
しかし、このようなカラオケの採点機能は充実普及してきたが、楽曲歌唱についての採点結果に留まっており、採点結果のすごろくゲーム等に留まっていた。
【０００４】
一方、歌唱結果を評価する技術も高度化してきているが、ネットワークカラオケシステムが会員管理を行い、会員の歌唱履歴も収集しているにもかかわらず、単発の歌唱に対する評価に留まっている。
楽曲を歌唱し、採点して得た得点を使って楽しむ試みは各社から行われている。
【先行技術文献】
【特許文献】
【０００５】
【特許文献１】特開平９−２６５２９３号公報
【特許文献２】特開平６−５１６９６号公報
【発明の概要】
【発明が解決しようとする課題】
【０００６】
特許文献１は、ゲームとカラオケ演奏とを連動させて楽しみを増したカラオケ装置を提供する。スゴロクゲーム盤４５をモニタに表示する。スゴロクゲームは、コマ６０をスタートマス５０からゴールマス５２まで移動させるゲームである。各プレーヤは装置から指示される条件でカラオケを歌唱する。カラオケ装置は、そのカラオケ歌唱を採点しその結果でコマ６０を進める。ゴールするとプレーヤが好きな曲を装飾照明や紙吹雪付きで歌うことができる。
【０００７】
特許文献２は、単独カラオケ歌唱者の場合、又は採点数を競う複数のカラオケ歌唱者の場合の採点の光輝表示の列に「一歩前進」「一歩後退」等の双六型ゲーム表示信号を潜ませて、ゲーム性を添えることを目的とするものである。
【課題を解決するための手段】
【０００８】
特許文献１、特許文献２ともいわゆる「すごろく」であり、得点によって駒を進めるゲームであり、歌唱者にとって得点を上げることで「得した」感があればもっと上達へのモチベーションになる。
上記先行技術は、会員管理の言及はないため、１回きりの歌唱が採点の対象となっているが、会員管理を行っている昨今のネットワークカラオケの場合、利用者の複数回の利用によるデータの蓄積ができるため、より高度なゲーム性の可能性がある。
【０００９】
上記の課題に鑑み、本発明の請求項１は、
カラオケ装置が同一ネットワーク上に接続され、利用者を会員管理し、特定の１または複数の楽曲を対象に、歌唱回数をサーバで保存集計できるカラオケシステムにおいて、
歌唱回数に応じて、一定の褒賞があることを特徴とするネットワークカラオケシステムである。
【００１０】
また本発明の請求項２は、
採点機能を持つカラオケ装置が同一ネットワーク上に接続され、特定の１または複数の楽曲を対象に、採点結果をサーバで保存集計できるカラオケシステムにおいて、
歌唱の採点結果の得点に応じて、一定の褒賞があることを特徴とするネットワークカラオケシステである。
【００１１】
また本発明の請求項３は、
採点機能を持つカラオケ装置が同一ネットワーク上に接続され、利用者を会員管理し、特定の１または複数の楽曲を対象に、採点結果をサーバで保存集計できるカラオケシステムにおいて、
歌唱の採点結果の得点の累積に応じて、一定の褒賞があることを特徴とするネットワークカラオケシステムである。
【００１２】
また本発明の請求項４は、
採点機能を持つカラオケ装置が同一ネットワーク上に接続され、利用者を会員管理し、特定の１または複数の楽曲を対象に、採点結果をサーバで保存集計できるカラオケシステムにおいて、
歌唱を採点された得点に歌唱時間を乗じた値の累積に応じて、一定の褒賞があることを特徴とするネットワークカラオケシステムである。
【００１３】
また本発明の請求項５は、
カラオケ装置が同一ネットワーク上に接続され、利用者を会員管理し、特定の１または複数の楽曲を対象に、歌唱回数をサーバで保存集計できるネットワークカラオケシステムにおいて、
複数の利用者による歌唱であって全員の歌唱回数の合計に応じて一定の褒賞があることを特徴とするネットワークカラオケシステムである。
【００１４】
また本発明の請求項６は、
前記請求項１乃至４記載のネットワークカラオケシステムにおいて、
利用者を会員管理する機能を持ち、複数の利用者による歌唱であって獲得得点による順位に応じて一定の褒賞があることを特徴とするネットワークカラオケシステムである。
【００１５】
また本発明の請求項７は、
前記請求項２記載のネットワークカラオケシステムにおいて、
利用者を会員管理する機能を持ち、複数の利用者による歌唱であって獲得得点による順位に応じて一定の褒賞があり、同一歌唱者の複数回歌唱がある場合の順位決定に当たり、
（１）すべてのデータを順位の対象とする
（２）同一歌唱者が複数回歌唱している場合は、最高点、平均点など何らかの順に基づき、一歌唱者につき一データを対象とする
とすることを特徴とする前記請求項２記載のネットワークカラオケシステムである。
【００１６】
また本発明の請求項８は、
前記請求項６記載のネットワークカラオケシステムにおいて、複数の楽曲について歌唱者複数人の複数回の歌唱があり、順位を特定する対象楽曲（群）評価データが複数あった場合に、当該複数の対象楽曲群の総合順位に応じて一定の褒賞があることを特徴とするネットワークカラオケシステムであって、当該総合順位特定の際に、第一位から順に上位から該当データを特定し、次順位特定に当たり、現順位特定時に対象としたデータから、現順位に該当するデータを除いた上で残るデータを元に、おいて次順位を決定するにあたり、順位算出の基準が総合順位であり、当該順位が１位から順位を決め、次順位を決定するにあたり、既出順位のデータを元に、
（１）すべてのデータを対象として
（２）現順位の該当データと同一歌唱者かつ同一楽曲（群）のデータを排除したデータを対象として
（３）現順位の該当データと同一の楽曲（群）のデータを排除したデータを対象として
（４）現順位の該当データと同一歌唱者のデータを排除したデータを対象として
（５）現順位の該当データと同一歌唱者または現順位に含まれる同一楽曲（群）のデータを排除したデータを対象として
のいずれかにより順位を特定することを特徴とする前記請求項６記載のネットワークカラオケシステムである。
【発明の効果】
【００１７】
会員管理を行うことにより歌唱度数や採点結果の累積を褒賞の閾値とすることができ、カラオケ利用者にとっては何度も歌唱する意義が発生し、その結果、利用者が歌唱の上達にもなる。さらにカラオケ店にとっても稼働率が上昇するというメリットにつながる。
また、楽曲をヒットさせたい歌手やその事務所にとっては、当該楽曲をこのような規格の対象に入れることで、楽曲を繰り返し歌い覚えてもらう機会になる。
【図面の簡単な説明】
【００１８】
【図１】本発明の請求項１、３乃至５に係る実施例を示した説明図である。
【図２】本発明の請求項７（１）に係る得点に応じた順位を示した説明図である。
【図３】本発明の請求項７（２）に係る得点に応じた順位を示した説明図である。
【図４】本発明の請求項８（１）に係る得点に応じた順位を示した説明図である。
【図５】本発明の請求項８（２）に係る得点に応じた順位を示した説明図である。
【図６】本発明の請求項８（３）に係る得点に応じた順位を示した説明図である。
【図７】本発明の請求項８（４）に係る得点に応じた順位を示した説明図である。
【図８】本発明の請求項８（５）に係る得点に応じた順位を示した説明図である。
【発明を実施するための形態】
【００１９】
図１は、請求項１、３乃至５の実施例に係る画面表示の例である。
歌唱者に対し、あるグループに属する楽曲（或いは特定の１の楽曲でもよい）を歌唱したときに採点された得点の累積が１または一群の楽曲ある点数に達すればポイントや景品などの褒賞が得られるというものである。図２のように得点累計の途中経過を示し、モチベーションを維持させることがあってもよい。
【００２０】
請求項４は、請求項３の歌唱の採点に際し、時間的に短い楽曲を高得点で歌唱するのは比較的容易であるが、長い楽曲の場合、高得点を得るためには高い歌唱力が必要になることに着目し、歌唱者に対し、歌唱したときに採点された得点に楽曲の長さ（時間）を乗じた値を点数として、その累積がある点数に達すればポイントや景品などの褒賞が得られるというものである。
【００２１】
請求項５の実施例としては、複数の歌唱者のグループにおいて、１または一群の楽曲を歌唱し全員の歌唱回数に応じて、そのグループに褒賞が与えられるというものである。
【００２２】
請求項６は、請求項１から請求項５までの個人若しくはグループが複数存在して、順位を競うというものである。
【００２３】
請求項７は、複数の個人またはグループで順位を競うに当たり、同一歌唱者が複数回歌唱しているの「名寄せ」の有無であり、（１）は、いわゆる「名寄せ」を行わず、すべての歌唱結果のデータを元に順位を算出する、すなわち、例えば１位と２位が同一人であることを妨げない順位算出方法である。図２が請求項７の（１）に係る実施例であり、特定の楽曲に関する得点の順位である。ここでは、甲さん、乙さんが３回ずつ、丙さん、丁さんがそれぞれ２回ずつ歌唱して複数の得点データが存在するがそれをそのまま順位とするものである。
【００２４】
図３は、請求項７の（２）に係る例であり、上記（１）では同じ歌唱者が上位を独占する場合があるため、１歌唱者についてはその人の最高点を採用した１データに絞った順位である、（２）は、いわゆる「名寄せ」を行い、同一歌唱者のデータは一のデータに集約して順位決定の対象とするというものであり、図３がこの請求項７の（２）に係る例であり、上記（１）では同じ歌唱者が上位を独占する場合があるため、１歌唱者についてはその人の最高点を採用した一のデータに絞った順位である。この一のデータは、当該歌唱者の最高点や複数回の平均点、場合によっては最低点などであってもよい。
【００２５】
請求項８は、請求項７の楽曲が複数あった場合の総合順位を競うというものであり、当該順位決定に当たり、第一位から順に決めていく中で、次順位を決めるにあたって（１）は請求項７の（１）と同様、いわゆる「名寄せ」を行わず、すべての歌唱結果のデータを元に順位を算出する。図４が請求項８の（１）に係る実施例であり、複数楽曲に関する得点の順位である。
【００２６】
請求項８の（２）は、いわゆる「名寄せ」を行なうが、同一歌唱者の同一楽曲のみ一のデータに集約するというものである。図５が請求項８の（２）に係る実施例であり、図４の順位から、同一歌唱者の同一楽曲の歌唱データのみを集約し、ここでは、甲さんが楽曲Ａを２回歌唱している為、よい方の得点を採用している。
【００２７】
図６は、請求項８の（３）に係る実施例であり、図４の順位から、同一楽曲を集約した順位となっている。
【００２８】
図７は、請求項８の（４）に係る実施例であり、図４の順位から、１歌唱者についてはその人の最高点を採用した１データに絞った順位である。
【００２９】
図８は、請求項８の（５）に係る実施例であり、図４の順位から、歌唱者と楽曲についてはその人の最高点を採用した１データに絞った順位である。
【産業上の利用可能性】
【００３０】
これにより、歌唱がさまざまな軸で評価され、歌唱者各人の多様な得意分野において、競うことができ、カラオケ楽しみを増大させ、顧客吸引力の向上に貢献することができる。
【符号の説明】
【００３１】
１・・・カラオケリモコンとして使用する利用者の多機能携帯端末
２・・・カラオケ画面
【図１】
2017015819.tif 000003
【図２】
2017015819.tif 000004
【図３】
2017015819.tif 000005
【図４】
2017015819.tif 000006
【図５】
2017015819.tif 000007
【図６】
2017015819.tif 000008
【図７】
2017015819.tif 000009
【図８】
2017015819.tif 000010